(57)【要約】【課題】上沓を支持する支持体である密閉ゴム支承板支承における中間プレートや、高力黄銅支承板支承におけるベアリングプレートが、経年劣化によって腐蝕し、耐久性が低下するのを防止する。【解決手段】上部構造１４に固定される上沓１１と、下部構造１５に固定される下沓１２と、下沓１２に設けられた凹部１９に鉛直方向に回転可能に収容され、上沓１１を水平方向に滑動可能に支持する支持体２１とを備えた支承板支承であって、支持体２１が高強度プラスチックからなることを特徴とする支承板支承１０である。支承板支承１０は例えば密閉ゴム支承板支承であり、この場合、支持体２１は中間プレートである。【選択図】図１
2020193650.tif 000002
【特許請求の範囲】
【請求項１】
上部構造に固定される上沓と、下部構造に固定される下沓と、この下沓に設けられた凹部に鉛直方向に回転可能に収容され、前記上沓を水平方向に滑動可能に支持する支持体とを備えた支承板支承であって、
前記支持体が高強度プラスチックからなることを特徴とする支承板支承。
【請求項２】
前記支承板支承は密閉ゴム支承板支承であり、前記支持体は中間プレートであることを特徴とする請求項１記載の支承板支承。
【請求項３】
前記中間プレートはその上面が、前記上沓のすべりプレートに直接接していることを特徴とする請求項２記載の支承板支承。
【請求項４】
前記支承板支承は高力黄銅支承板支承であり、前記支持体はベアリングプレートであることを特徴とする請求項１記載の支承板支承。
【発明の詳細な説明】
【技術分野】
【０００１】
この発明は、支承板支承に関し、より詳細には、橋梁の上部構造と下部構造との間に設置される支承板支承に組み込まれる中間プレート（密閉ゴム支承板支承の場合）やベアリングプレート（高力黄銅支承板支承の場合）に関する。
【背景技術】
【０００２】
橋梁において上部構造の荷重を下部構造に伝達するための支承の１つとして、荷重伝達機能に加えてすべりによる上部構造の水平移動機能及び鉛直回転機能を持たせた支承板支承が知られている。この支承板支承には、密閉ゴム支承板支承と高力黄銅支承板支承とがある（例えば非特許文献１参照）。
【０００３】
密閉ゴム支承板支承は、下沓に設けたポット部と称される凹部にゴムプレート（弾性体）を挿入したうえ中間プレートを嵌め込んでゴムプレートを密閉し、また中間プレートの上面に凹部を設けて四フッ化エチレン樹脂（ＰＴＦＥ）からなるすべりプレートを嵌め込み、ゴムプレートの弾性変形により鉛直回転機能を持たせ、すべりプレートの上沓とのすべりにより水平移動機能を持たせたものである。
【０００４】
また、高力黄銅支承板支承は、下沓に設けた凹状球面部に下面に凸状球面部が形成されたベアリングプレートを嵌め合わせ、球面部どうしのすべりにより鉛直回転機能を持たせ、ベアリングプレートの上面と上沓とのすべりにより水平移動機能を持たせたものである。
【０００５】
このような支承板支承において、密閉ゴム支承板支承にあっては、鋼板を加工して形成される中間プレートが、外周にシールリングが配置されるものの、下沓の凹部に雨水等が侵入しやすく、経年劣化による腐蝕、耐久性の低下という問題が生じている。また、高力黄銅支承板支承にあっても、黄銅鋳物を加工して形成されるベアリングプレートに同様の問題が生じる。
【先行技術文献】
【特許文献】
【０００６】
【非特許文献１】「道路橋支承便覧（改訂版）」，社団法人日本道路協会，平成２０年８月，Ｐ．４３−４５
【発明の概要】
【発明が解決しようとする課題】
【０００７】
この発明は上記のような技術的背景に基づいてなされたものであって、次の目的を達成するものである。
この発明の目的は、上沓を支持する支持体である密閉ゴム支承板支承における中間プレートや、高力黄銅支承板支承におけるベアリングプレートが、経年劣化によって腐蝕し、耐久性が低下するのを防止することができる、支承板支承を提供することにある。
【課題を解決するための手段】
【０００８】
この発明は上記課題を達成するために、次のような手段を採用している。
すなわち、この発明は、上部構造に固定される上沓と、下部構造に固定される下沓と、この下沓に設けられた凹部に鉛直方向に回転可能に収容され、前記上沓を水平方向に滑動可能に支持する支持体とを備えた支承板支承であって、
前記支持体が高強度プラスチックからなることを特徴とする支承板支承にある。
【０００９】
より具体的には、前記支承板支承は密閉ゴム支承板支承であり、前記支持体は中間プレートである。この場合、前記中間プレートはその上面が、前記上沓のすべりプレートに直接接している構成を採用することができる。
【００１０】
また、前記支承板支承は高力黄銅支承板支承であり、前記支持体はベアリングプレートである。
【発明の効果】
【００１１】
この発明によれば、上沓を支持する支持体である密閉ゴム支承板支承における中間プレートや、高力黄銅支承板支承におけるベアリングプレートが、経年劣化によって腐蝕し、耐久性が低下するのを防止することができる。
【図面の簡単な説明】
【００１２】
【図１】この発明が適用される密閉ゴム支承板支承を示す橋軸方向に沿ってみた正面図である。
【図２】中間プレートを示し、（ａ）は平面図、（ｂ）は断面図である。
【図３】中間プレートの別実施形態を示し、（ａ）は平面図、（ｂ）は断面図である。
【図４】この発明が適用される高力黄銅支承板支承を示す橋軸方向に沿ってみた正面図である。
【発明を実施するための形態】
【００１３】
この発明の実施形態を図面を参照しながら以下に説明する。図１は密閉ゴム支承板支承を示し、橋軸方向に沿ってみた正面図である。
【００１４】
密閉ゴム支承板支承１０は、上沓１１と下沓１２とを備えている。上沓１１はセットボルト１３を介して桁である上部構造１４の下面に固定されている。橋脚等の下部構造１５にはアンカーボルト１６を介してベースプレート１７が固定され、このベースプレート１７に下沓１２が溶接等により固定されている。下沓１２の橋軸方向に沿う両側部には、上部構造１４の橋軸直角方向の移動を制限するとともに、上沓１１の上面に係合して上部構造１４に作用する上揚力を受け止めるサイドブロック１８が設けられている。
【００１５】
下沓１２には中央部に断面円形のポット部（凹部）１９が設けられ、このポット部１９の底部にはゴムプレート２０が収容されている。さらに、ポット部１９にはゴムプレート２０の上に載った状態で、かつ上部がポット部１９から突出した状態で中間プレート２１が嵌合されている。上部構造１４の荷重は、上沓１１からこの中間プレート２１を介して下沓１２に伝達され、またゴムプレート２０が弾性変形することにより上部構造１４の鉛直方向回転が可能となっている。
【００１６】
中間プレート２１は、図２にそれのみを拡大して示すように上面に凹部２１ａが形成され、この凹部２１ａに四フッ化エチレン樹脂（ＰＴＦＥ）からなるすべりプレート２２が嵌め込まれている。一方、中間プレート２１と接する上沓１１の下面には、ステンレスからなるすべりプレート２３が設けられ（図１参照）、これらすべりプレート２２，２３どうしのすべりにより、上部構造１４が橋軸方向に水平移動可能となっている。
【００１７】
この発明によれば、上沓１１を支持する支持体である中間プレート２１は、高強度プラスチックで作られている。高強度プラスチックとしては、例えばスーパーエンジニアリングプラスチックと称されているポリエーテルエーテルケトン樹脂（ＰＥＥＫ）を使用することができる。ポリエーテルエーテルケトン樹脂は、耐熱性、機械的強度、耐薬品性など優れた熱可塑性高機能プラスチックとして知られている。ポリエーテルエーテルケトン樹脂以外にも、これと同等の物性を有する高強度プラスチック、例えば、ポリフェニレンサルファイド樹脂（ＰＰＳ）、ポリフェニルスルホン樹脂（ＰＰＳＵ）、ポリスルホン樹脂（ＰＳＵ）、ポリエーテルスルホン樹脂（ＰＥＳＵ）等を使用することができる。
【００１８】
上記高強度プラスチックのうち、ポリエーテルエーテルケトン樹脂（ＰＥＥＫ）は優れた低摩擦性を有していることが実験の結果判明しており、ステンレスからなる上沓１１のすべりプレート２３との摩擦係数は要求される０．１５以下であると推定される。このため、図３に中間プレート２１の別実施形態を示すように、四フッ化エチレン樹脂からなるすべりプレート２２を省略することができる。すなわち、中間プレート２１の上面が上沓のすべりプレート２３に直接接している態様とすることができる。この場合、すべりプレート２２を嵌め込む凹部の形成が不要となるので加工が簡単となる。
【００１９】
図４は高力黄銅支承板支承を示し、橋軸方向に沿ってみた正面図である。高力黄銅支承板支承３０は、下沓１２に凹状球面部３１が設けられている。この凹状球面部３１に下面に凸状球面部３２を有するベアリングプレート３３が収容されている。上部構造１４の荷重は、上沓１１からこのベアリングプレート３３を介して下沓１２に伝達され、球面部３１，３２どうしのすべりにより上部構造１４の鉛直方向回転が可能となっている。また、ベアリングプレート３３の平坦な上面と上沓１１の下面とのすべりにより、上部構造１４が橋軸方向に水平移動可能となっている。
【００２０】
この高力黄銅支承板支承３０においても、上沓１１を支持する支持体であるベアリングプレート３３が、高強度プラスチックで作られている。高強度プラスチックとしては、密閉ゴム支承板支承における中間プレート２１の場合と同様に、ポリエーテルエーテルケトン樹脂（ＰＥＥＫ）や上記で列挙した樹脂を使用することができる。
【００２１】
上記実施形態で示したように、この発明によれば、支承板支承において上沓を支持する支持体である中間プレートやベアリングプレートが高強度プラスチックで作られているので、経年劣化によって腐蝕し、耐久性が低下するのを防止することができる。
【符号の説明】
【００２２】
１０：密閉ゴム支承板支承
１１：上沓
１２：下沓
１４：上部構造
１５：下部構造
１９：凹部
２１：中間プレート（支持体）
３０：高力黄銅支承板支承
３１：凹状球面部
３３：ベアリングプレート（支持体）
【図１】
2020193650.tif 000003
【図２】
2020193650.tif 000004
【図３】
2020193650.tif 000005
【図４】
2020193650.tif 000006